Podtech/llm-jp-corpus-v4-ja_patent huggingface dataset:
(57)【要約】      （修正有）【課題】これまで高額なイニシャルコスト、ランニングコストがかかっていた、油焚きボイラー及び木屑焚きボイラーを使用した木材乾燥方ではなく、無圧の排煙、排水蒸気を利用した高温木材乾燥法を提供する【解決手段】木質バイオマス燃料を使った無圧の温水ヒーターを使用し、捨てるだけであった排煙、排水蒸気を利用して、温水ボイラーでは不可能であった高温乾燥を実現させる乾燥方法。乾燥装置内の温度、湿度を計測しながら、バイオマスヒーターの排煙、排水蒸気を自動で制御して乾燥装置内に送り込み高温木材乾燥を行う。化石燃料を使用せずに高温乾燥を行う。【選択図】図１
2020204448.tif 000002
【特許請求の範囲】
【請求項１】
木くず等の木質バイオマスをバイオマス温水ヒーターに燃料として投入し、燃焼後に発生した排煙を木材乾燥装置内の熱交換器を通し循環させ、灯油、重油等の化石燃料を使用しない高温木材乾燥法。
【請求項２】
木くず等の木質バイオマスをバイオマス温水ヒーターに燃料として投入し、高温乾燥法に必要な蒸煮には温水を生成した際に発生した排水蒸気（湿った蒸気）を乾燥装置内に吹き込み、灯油、重油等の化石燃料を使用しない高温木材乾燥法。
【発明の詳細な説明】
【技術分野】
【０００１】    本発明は、木材乾燥の熱源として木くず等の木質バイオマス燃料を使用したバイオマスヒーターの排煙と排水蒸気を利用した、化石燃料を必要としない高温木材乾燥法に関する。
【背景技術】
【０００２】  現在木材乾燥の熱源としては、油を燃焼させて水を蒸気にかえ、その蒸気を木材乾燥の熱源として使用する油焚き蒸気ボイラーが主流となっている。【０００３】  木くず焚きボイラーとしては、水を蒸気にかえ、その蒸気を木材乾燥の熱源として使用する蒸気ボイラーと、水をお湯にかえ、お湯を木材乾燥の熱源として使用する温水ボイラーがある。
【発明の概要】
【発明が解決しようとする課題】
【０００４】  油焚き蒸気ボイラーは文字通り蒸気を熱源とするため蒸気部が高圧となり、高圧対応の機構としなければいけない。さらに燃料に油を使用することから、製造のイニシャルコスト、稼働による燃料代を含むランニングコストが増大となる。【０００５】  燃料代を削減できる木くず焚き蒸気ボイラーは油焚き蒸気ボイラーと同様に高圧対応の機構のため、さらにその構造上、規模が大きくなり高額設備となる。【０００６】  蒸気を使用しない木くず焚き温水ボイラーも水を使用することから、温水は最大でも１００℃までとなるため、１２０℃で行う木材乾燥の高温処理には使用できない。
【課題を解決するための手段】
【０００７】  木くず等の木質バイオマス燃料使用することで油焚きボイラーで課題となった燃料代を削減できる。【０００８】  無圧のバイオマスヒーターを使用することで蒸気ボイラーで課題となった高圧対応の構造が不要となる。またさらに乾燥の熱源に排煙を使用し制御することにより木屑焚き温水ボイラーで課題となった木材乾燥の高温処理にも使用できる。【０００９】  高温木材乾燥法に必要な蒸煮には油焚きボイラー、木屑焚きボイラーに共通して使用する乾いた蒸気ではなく、温水生成の際に発生する排水蒸気を使用し制御することにより、木材乾燥における蒸煮効果を得られることができる。
【発明の効果】
【００１０】  従来の温水ボイラーでは、高温木材乾燥の実現は不可能であったが、バイオマスヒーターの排煙を使用し、またそれを制御することにより１２０℃の高温乾燥を実現することができる。【００１１】  また、蒸煮の効果として、油焚きボイラー及び木屑焚きボイラーから発生する乾いた蒸気ではなく、温水を生成する際に発生する排水蒸気（湿った蒸気）を使用することにより、より蒸煮効果の高い木材乾燥を実現することができる。【００１２】  排煙は木材乾燥装置の設定温度に達すれば、乾燥装置内の循環をやめて、ダンパーの切り替えにより、直接煙突から排煙として外気に排気される。その後、乾燥装置内の温度が低下すればダンパーが自動的に切り替わり、再び乾燥装置内の熱交換器を循環して昇温させる。【００１３】    高温乾燥法に必要な蒸煮に関しても同様に、木材乾燥装置内の湿度が低下すれば、水蒸気を装置内に吹き込み湿度を上昇させる。設定湿度の達したときには、ダンパーが自動で切り替わり装置内への吹込みと止める。
【図面の簡単な説明】
【００１４】
【図１】  木材乾燥装置内設定温度より低下した場合のイメージ
【図２】  木材乾燥装置内設定温度より高いもしくは同温度の場合のイメージ
【図３】  木材乾燥装置内設定湿度より低下した場合のイメージ
【図４】  木材乾燥装置内設定温度より高いもしくは同温度の場合のイメージ
【発明を実施するための形態】
【００１５】    無圧のヒーターで化石燃料を使用せずに、木質バイオマス燃料の排煙を乾燥装置内を循環させるために、乾燥装置内に熱交換器を設置する。
【００１６】    蒸煮時に必要な排水蒸気を乾燥装置内に吹き込むために、乾燥装置内に吹き込み口を設置する。
【００１７】    乾燥装置内の温度を維持するために、循環と排気の切り替えを行うために自動ダンパーを設置する。
【００１８】  自動温度調整を行うには、乾燥装置内に温度センサーを取り付け、自動制御できるようにする。
【図１】
2020204448.tif 000003
【図２】
2020204448.tif 000004
【図３】
2020204448.tif 000005
【図４】
2020204448.tif 000006
(57)【要約】      （修正有）【課題】歩行者用交通信号機の青色信号が点滅していても、一時停止しなかったり、横断途中でも急がなかったりする事を減らす。【解決手段】横断時間が短くなったことを知らせるだけでは解決しないので、青色信号が点灯し横断時間がなくなったときに青色信号を点灯したまま赤色信号を点滅させることによって、一瞬躊躇させ、横断を思いとどまる気持ちにさせる。また横断中の人には早く横断を終わらせたい気持ちにさせる。これにより、安全に横断をすることができる。【選択図】図２
2020013520.tif 000002
【特許請求の範囲】
【請求項１】
青色信号が点灯したまま赤色信号が点滅する歩行者用交通信号機。
【発明の詳細な説明】
【技術分野】
【０００１】      本発明は、横断時間が少なくなったとき、もうすぐ赤色信号に変わることを知らせ、無理な横断を思いとどまらせるために、青色信号が点灯したまま赤色信号が点滅するようにした歩行者用交通信号機である。
【背景技術】
【０００２】      現在の歩行者用交通信号機は青色信号、赤色信号の二色で歩行者の流れを調整している。この二色の信号機の概念を応用し、横断時間が少なくなったことを青色信号の点灯をしたまま赤色信号の点滅を行うことで、それ以降の横断をしないように考案したものである。
【先行技術文献１】
【０００３】
【特許文献１】特開２００６−６５５３７（Ｐ２００６−６５５３７Ａ）
【発明の概要】
【発明が解決しようとする課題】
【０００４】    歩行者用交通信号機の青色信号が点滅していても、横断の途中で急がなかったり、横断前なのに横断を始める人がいたりして、事故を誘発することがある。危険を知らせ、事故を減らすためにどうしたらよいかを考えたのが本案である。
【課題を解決するための手段】
【０００５】    今までの歩行者用交通信号機は、横断時間が短くなると青色信号が点滅し歩行者に知らせていたが、青色信号の点滅の代わりに青色信号の点灯と一緒に赤色信号を点滅させ、危険性をより意識しやすくする事で横断を始めることを断念し、横断途中では、早く渡りきることを促せる。
【発明の効果】
【０００６】    横断中の人には青色信号が点灯し続けると同時に赤信号が点滅することによって早く横断を終了させようという気持ちになり、これから横断を始めようとする人には赤色信号の点滅によって一瞬渡ろうとする気持ちを躊躇させることができる。これによって無理に横断して事故を起こさない効果が期待できる。
【図面の簡単な説明】
【０００７】
【図１】  今までの歩行者用交通信号機と働きの図
【図２】  本案の歩行者用交通信号機と働きの図
【０００８】    図１の今までの歩行者用交通信号機では、青色信号の次に青色信号が点滅し、その次に青色信号が消えて赤色信号が点灯するものである。【０００９】    図２の本案の歩行者用交通信号機では、青色信号の次に、青色信号機は点灯したまま赤色信号が点滅をする。そして、そのあとに赤色信号だけが点灯するようにした信号機である。
【発明を実施するための形態】
【００１０】    法律や広報誌などでの周知徹底をしてから、実施する事が必要である。
【図１】
2020013520.tif 000003
【図２】
2020013520.tif 000004